(57)【要約】【課題】  ジャム発生により、あるいは抜け落ちページの存在等により未完成状態の用紙束を破棄せずに容易に再利用する。【解決手段】  未完成状態の用紙束あるいは挿入紙を給紙するための第１の給紙手段を後処理部５００に設け（第１の給紙手段をインサータ部５６０とする）、また、未完成状態の用紙束の残りの用紙（印刷紙）を給紙するための第２の給紙手段を装置本体１０又は外部装置に設け（第２の給紙手段を給紙部４００とする）、計数手段（枚数検出部５６４）によって第１の給紙手段からの給紙枚数を計数し、制御手段によって、第１の給紙手段から用紙をスタックトレイ５１１へ給紙させて用紙束を形成させるとともに、計数手段による計数情報に基づく第２の給紙手段からのスタックトレイ５１１への給紙動作を可能とさせ、第１及び第２の給紙手段から給紙された用紙をスタックトレイ５１１上で合体させて複合用紙束を形成させる。【選択図】  図１
2005239409.tif 000002
【特許請求の範囲】
【請求項１】
装置本体に設けられ、処理すべき用紙を給紙するための第１の給紙手段と、
第１の給紙手段からの給紙枚数を計数する計数手段と、
装置本体又は外部装置に設けられ、処理すべき用紙を給紙するための第２の給紙手段と、
第１の給紙手段から用紙を給紙させて用紙束を形成させるとともに、計数手段による計数情報に基づく第２の給紙手段からの給紙動作を可能とさせ、第１及び第２の給紙手段からの用紙の給紙による複合用紙束を形成させる制御手段とを備えることを特徴とする用紙処理装置。
【請求項２】
前記制御手段は、第１の給紙手段からの給紙枚数が所定枚数に達したことが前記計数手段によって計数されたときに、当該第１の給紙手段による給紙から第２の給紙手段による給紙に切り替えることを特徴とする請求項１記載の用紙処理装置。
【請求項３】
前記用紙束の再利用を行うことを示す再利用情報を受け付ける再利用情報受付手段をさらに備え、
前記制御手段は、再利用情報受付手段によって受け付けられた再利用情報に基づいて、第１の給紙手段から給紙を行わせるとともに、前記計数手段に当該第１の給紙手段からの給紙枚数を計数させることを特徴とする請求項１又は２記載の用紙処理装置。
【請求項４】
用紙処理装置が画像形成装置の後処理装置として用いられるものであって、
前記画像形成装置の本体部は、所定枚数分の原稿画像データを記憶する原稿画像記憶部と、前記原稿画像記憶部によって記憶された原稿画像データに基づいて用紙に対する画像形成を行う画像形成部とを備え、
前記用紙処理装置としての後処理装置は、内部に設けられた、用紙を一時的に積載するためのスタック部を備え、
第１の給紙手段は、後処理装置における所定の挿入紙が載置される挿入紙搬入部からの給紙を行うものであり、第２の給紙手段は、前記画像形成部からの前記画像形成紙の給紙を行うものであって、
前記制御部は、前記再利用情報に基づいて、第１の給紙手段によって前記用紙束を挿入紙搬入部から給紙させてスタック部に積載するとともに、計数手段によって挿入紙搬入部からの前記用紙束の給紙枚数を計数させ、第２の給紙手段によって、当該計数された給紙枚数目に続く、次頁以降用の原稿画像データに基づき画像形成部により画像形成された画像形成紙を給紙させてスタック部に積載し、当該画像形成紙と前記用紙束とからなる複合用紙束を形成することを特徴とする請求項３記載の用紙処理装置。
【請求項５】
前記挿入紙を前記所定枚数の画像形成紙における何枚目に挿入するかを示す挿入情報を受け付ける挿入情報受付手段をさらに備え、
前記制御手段は、挿入情報受付手段によって受け付けられた挿入情報に基づいて、第１の給紙手段によって挿入紙を挿入紙搬入部から給紙させてスタック部に積載し、当該挿入紙と前記スタック部に積載される画像形成紙及び用紙束とからなる複合用紙束を形成することを特徴とする請求項４記載の用紙処理装置。
【請求項６】
前記制御手段は、第１の給紙手段からの給紙枚数が所定の順番の枚数に達したことが前記計数手段によって計数されたときに、当該第１の給紙手段による給紙から第２の給紙手段による給紙に一時的に切り替えることを特徴とする請求項１記載の用紙処理装置。
【請求項７】
用紙の入替え又は挿入用の前記順番を示す順番情報を受け付ける順番情報受付手段をさらに備え、
前記制御手段は、順番情報受付手段によって受け付けられた順番情報に基づいて、第１の給紙手段から給紙を行わせるとともに、前記計数手段に当該第１の給紙手段からの給紙枚数を計数させることを特徴とする請求項６記載の用紙処理装置。
【請求項８】
用紙処理装置が画像形成装置の後処理装置として用いられるものであって、
前記画像形成装置の本体部は、前記入替え又は挿入用の原稿画像データを記憶する入替挿入画像記憶部と、前記入替挿入画像記憶部によって記憶された原稿画像データに基づいて用紙に対する画像形成を行う画像形成部とを備え、
前記用紙処理装置としての後処理装置は、前記入替えが行われた用紙を排出する排出部と、内部に設けられた、用紙を一時的に積載するためのスタック部とを備え、
第１の給紙手段は、後処理装置における所定の挿入紙が載置される挿入紙搬入部からの給紙を行うものであり、第２の給紙手段は、前記画像形成部からの前記画像形成紙の給紙を行うものであって、
前記制御部は、前記順番情報に基づいて、第１の給紙手段によって挿入紙搬入部から前記入替え又は挿入がなされる入替挿入用紙束を給紙させてスタック部に積載するとともに、計数手段によって挿入紙搬入部からの当該入替挿入用紙束の給紙枚数を計数させ、
前記入替挿入用紙束に対する用紙の入替えを行う場合には、前記順番情報における入替えの順番に対応する前記給紙枚数目の入替挿入用紙を排出部に排出するとともに、第２の給紙手段によって、当該給紙枚数目用の原稿画像データに基づき画像形成部により画像形成された画像形成紙を給紙させてスタック部に積載し、当該画像形成紙と前記スタック部における入替挿入用紙束とからなる複合用紙束を形成し、
前記入替挿入用紙束に対する用紙の挿入を行う場合には、第２の給紙手段によって、前記順番情報における挿入の順番に対応する前記給紙枚数目用の原稿画像データに基づき画像形成部により画像形成された画像形成紙を給紙させてスタック部に積載し、当該画像形成紙と前記スタック部における入替挿入用紙束とからなる複合用紙束を形成することを特徴とする請求項７記載の用紙処理装置。
【発明の詳細な説明】
【技術分野】
【０００１】
本発明は、複写機等の画像形成装置による画像形成後排出されてきた用紙に対してステイプル処理等の後処理を行う用紙処理装置に関し、特に、表紙や合紙等を挿入するインサート機能を有した用紙処理装置に関する。
【背景技術】
【０００２】
従来、ステイプル処理等の後処理を行う用紙処理装置を備えた複写機等の画像形成装置において（例えば特許文献１参照）、用紙搬送中に用紙詰まり所謂ジャムが発生した場合、これが画像形成装置本体側で発生しているとすると、一般的に、このジャムによって前後の用紙も含めて無事でないことが多く、これらの用紙は再利用が困難でありそのまま破棄されることになってしまう。一方、用紙処理装置側でジャムが発生した場合、当該ジャムが発生した用紙とは別に、用紙処理装置内における一旦用紙をスタックさせておくためのスタックトレイ等には、既に複数枚の用紙が搬送されてスタックされた状態となっていることが多い。
【特許文献１】特開２００３−９５５２８号公報
【発明の開示】
【発明が解決しようとする課題】
【０００３】
しかしながら、上記の場合、ジャムが発生した用紙が不明確であり、何枚目までの用紙が無事にスタックされているかについて正確に分からないことからも、スタックされている用紙枚数あるいは用紙の破損や順番狂いの有無に拘わらず、取り除きメッセージが表示され、これに従ってスタックされている用紙が取り出されて破棄されてしまい、資源の無駄使いになってしまうという問題がある。
【０００４】
また、用紙の破棄という観点では、例えば画像形成装置において用紙（原稿）の重送が生じるなどしてページが一部抜け落ちたり、又は原稿読み取り時や画像形成時の搬送不良により不良画像が形成されたページを含んだ状態でステイプル処理等が施された用紙束が何部かできてしまうことがあり、この場合、抜け落ちページや不良画像ページの原稿を再度コピーし直し、ステイプルを取り外して当該抜け落ちページへ挿入したり、不良画像ページを入れ替えたりといった煩雑な手作業が必要であるため、この用紙束を破棄して一からやり直すことも多く、その結果、資源の無駄使いが生じる。
【０００５】
本発明は、上記事情に鑑みてなされたもので、ジャム等が発生した場合に装置内のスタックトレイ等にスタックされた用紙を破棄することなく、あるいは、抜け落ちページや不良画像ページのある用紙束を破棄することなく、これらを容易に再利用でき、ひいては省資源化を図ることができる用紙処理装置の提供を目的とする。
【課題を解決するための手段】
【０００６】
本発明にかかる用紙処理装置は、装置本体に設けられ、処理すべき用紙を給紙するための第１の給紙手段と、第１の給紙手段からの給紙枚数を計数する計数手段と、装置本体又は外部装置に設けられ、処理すべき用紙を給紙するための第２の給紙手段と、第１の給紙手段から用紙を給紙させて用紙束を形成させるとともに、計数手段による計数情報に基づく第２の給紙手段からの給紙動作を可能とさせ、第１及び第２の給紙手段からの用紙の給紙による複合用紙束を形成させる制御手段とを備えることを特徴とする。
【０００７】
また、前記制御手段は、第１の給紙手段からの給紙枚数が所定枚数に達したことが前記計数手段によって計数されたときに、当該第１の給紙手段による給紙から第２の給紙手段による給紙に切り替えることが好ましい。
【０００８】
また、前記用紙束の再利用を行うことを示す再利用情報を受け付ける再利用情報受付手段をさらに備え、前記制御手段は、再利用情報受付手段によって受け付けられた再利用情報に基づいて、第１の給紙手段から給紙を行わせるとともに、前記計数手段に当該第１の給紙手段からの給紙枚数を計数させることが好ましい。
【０００９】
また、用紙処理装置が画像形成装置の後処理装置として用いられるものであって、前記画像形成装置の本体部は、所定枚数分の原稿画像データを記憶する原稿画像記憶部と、前記原稿画像記憶部によって記憶された原稿画像データに基づいて用紙に対する画像形成を行う画像形成部とを備え、前記用紙処理装置としての後処理装置は、内部に設けられた、用紙を一時的に積載するためのスタック部を備え、第１の給紙手段は、後処理装置における所定の挿入紙が載置される挿入紙搬入部からの給紙を行うものであり、第２の給紙手段は、前記画像形成部からの前記画像形成紙の給紙を行うものであって、
前記制御部は、前記再利用情報に基づいて、第１の給紙手段によって前記用紙束を挿入紙搬入部から給紙させてスタック部に積載するとともに、計数手段によって挿入紙搬入部からの前記用紙束の給紙枚数を計数させ、第２の給紙手段によって、当該計数された給紙枚数目に続く、次頁以降用の原稿画像データに基づき画像形成部により画像形成された画像形成紙を給紙させてスタック部に積載し、当該画像形成紙と前記用紙束とからなる複合用紙束を形成することが好ましい。
【００１０】
また、前記挿入紙を前記所定枚数の画像形成紙における何枚目に挿入するかを示す挿入情報を受け付ける挿入情報受付手段をさらに備え、前記制御手段は、挿入情報受付手段によって受け付けられた挿入情報に基づいて、第１の給紙手段によって挿入紙を挿入紙搬入部から給紙させてスタック部に積載し、当該挿入紙と前記スタック部に積載される画像形成紙及び用紙束とからなる複合用紙束を形成することが好ましい。
【００１１】
また、前記制御手段は、第１の給紙手段からの給紙枚数が所定の順番の枚数に達したことが前記計数手段によって計数されたときに、当該第１の給紙手段による給紙から第２の給紙手段による給紙に一時的に切り替えることが好ましい。
【００１２】
また、用紙の入替え又は挿入用の前記順番を示す順番情報を受け付ける順番情報受付手段をさらに備え、前記制御手段は、順番情報受付手段によって受け付けられた順番情報に基づいて、第１の給紙手段から給紙を行わせるとともに、前記計数手段に当該第１の給紙手段からの給紙枚数を計数させることが好ましい。
【００１３】
さらに、用紙処理装置が画像形成装置の後処理装置として用いられるものであって、前記画像形成装置の本体部は、前記入替え又は挿入用の原稿画像データを記憶する入替挿入画像記憶部と、前記入替挿入画像記憶部によって記憶された原稿画像データに基づいて用紙に対する画像形成を行う画像形成部とを備え、前記用紙処理装置としての後処理装置は、前記入替えが行われた用紙を排出する排出部と、内部に設けられた、用紙を一時的に積載するためのスタック部とを備え、
第１の給紙手段は、後処理装置における所定の挿入紙が載置される挿入紙搬入部からの給紙を行うものであり、第２の給紙手段は、前記画像形成部からの前記画像形成紙の給紙を行うものであって、
前記制御部は、前記順番情報に基づいて、第１の給紙手段によって挿入紙搬入部から前記入替え又は挿入がなされる入替挿入用紙束を給紙させてスタック部に積載するとともに、計数手段によって挿入紙搬入部からの当該入替挿入用紙束の給紙枚数を計数させ、
前記入替挿入用紙束に対する用紙の入替えを行う場合には、前記順番情報における入替えの順番に対応する前記給紙枚数目の入替挿入用紙を排出部に排出するとともに、第２の給紙手段によって、当該給紙枚数目用の原稿画像データに基づき画像形成部により画像形成された画像形成紙を給紙させてスタック部に積載し、当該画像形成紙と前記スタック部における入替挿入用紙束とからなる複合用紙束を形成し、
前記入替挿入用紙束に対する用紙の挿入を行う場合には、第２の給紙手段によって、前記順番情報における挿入の順番に対応する前記給紙枚数目用の原稿画像データに基づき画像形成部により画像形成された画像形成紙を給紙させてスタック部に積載し、当該画像形成紙と前記スタック部における入替挿入用紙束とからなる複合用紙束を形成することが好ましい。
【発明の効果】
【００１４】
請求項１記載の発明によれば、第１の給紙手段から用紙が給紙されて用紙束が形成されるとともに、計数手段による計数情報に基づいて、第２の給紙手段からの給紙動作が行われ、第１及び第２の給紙手段から給紙された用紙からなる複合用紙束が形成されるため、例えばジャム時などに用紙処理装置のスタックトレイに無事に積載されていた用紙束を、第１の給紙手段から給紙して計数手段によりこの給紙枚数（用紙束の総枚数）を計数し、この給紙枚数の情報に基づいて、処理単位の１部として未完成なこの無事の用紙束に対する当該１部の残りの用紙を、第２の給紙手段から給紙して当該無事の用紙束と合わせて複合用紙束を形成し、当該１部を完成させることが可能となる。
【００１５】
また、例えば抜け落ちページや不良画像ページを含む用紙束を第１の給紙手段から給紙し、計数手段によりこの給紙枚数を計数し、当該抜け落ちページ又は不良画像ページ用の用紙を第２の給紙手段から給紙して当該用紙束と合わせて複合用紙束を形成し、処理単位としての１部を完成させることが可能となる。
【００１６】
このようにして、ジャム等によりスタックトレイに積載されていた用紙束を破棄することなく、あるいは、抜け落ちページや不良画像ページのある用紙束を破棄することなく、容易に再利用することができ、ひいては省資源化を図ることができる。
【００１７】
請求項２記載の発明によれば、第１の給紙手段からの給紙枚数が所定枚数に達したことが計数手段によって計数され、この計数情報に基づいて第２の給紙手段からの給紙に切り替えられるため、スタックトレイに積載されていた処理単位の１部として未完成な用紙束に対する当該１部の残りの用紙の補充が、単に第１の給紙手段から第２の給紙手段への給紙の切り替えによって行えるようになり、当該１部として完成される複合用紙束の形成を容易に行うことができる。
【００１８】
請求項３記載の発明によれば、再利用情報受付手段により再利用情報が受け付けられることによって、第１の給紙手段からの給紙や、計数手段による給紙枚数の計数がなされるため、用紙束を再利用するか否かがユーザによって容易に選択可能となる。
【００１９】
請求項４記載の発明によれば、所定枚数分の原稿画像を読み取って原稿画像記憶部に記憶し、この原稿画像データに基づいて画像形成を行い、用紙処理装置において所定の後処理を実行しているときにジャム等が発生した場合、用紙処理装置のスタック部に無事に積載されていた用紙束を、第１の給紙手段から給紙してスタック部に積載するとともに計数手段により給紙枚数を計数し、当該給紙枚数の情報に基づいて、処理単位の１部として未完成なこの無事の用紙束の残りの用紙（当該計数された給紙枚数目に続く、次頁以降用の原稿画像データに基づき画像形成された用紙）を、第２の給紙手段から給紙してスタック部に載置されている用紙束の上に積載し、この無事の用紙束と合わせて複合用紙束を形成することで当該１部を完成させることが可能となる。これにより、ジャム等によりスタック部に積載されていた用紙束を破棄せずに容易に再利用することができ、ひいては省資源化を図ることができる。
【００２０】
請求項５記載の発明によれば、挿入情報受付手段により挿入情報が受け付けられることによって、第１の給紙手段によって挿入紙搬入部からスタック部へ挿入紙が給紙されてこれが積載され、この挿入紙と、既にスタック部に積載されている無事の用紙束及び残りの用紙（画像形成された用紙）とからなる複合用紙束が形成される構成であるため、挿入紙（表紙、裏紙又は合紙等）の挿入を行う出力時（コピーや後処理時）においてジャム等が発生した場合においても、スタック部に積載されていた用紙束を破棄せずに容易に再利用することができ、ひいては省資源化を図ることができる。
【００２１】
請求項６記載の発明によれば、第１の給紙手段からの給紙枚数が順番の枚数に達したことが計数手段によって計数され、この計数情報に基づいて第２の給紙手段からの給紙に一時的に切り替えられるため、抜け落ちページや不良画像ページを含んでいた用紙束を計数し、入れ替え又は挿入を行うための所要の枚数目が計数されたときに、一時的に当該入替用又は挿入用の用紙（入替印刷紙又は挿入印刷紙）の給紙に切り替える、すなわち、単に一時的に給紙を切り替えることにより、処理単位の１部としての複合用紙束の形成を容易に行うことが可能となる。
【００２２】
請求項７記載の発明によれば、順番情報受付手段により順番情報が受け付けられることによって、制御手段の制御による第１の給紙手段からの給紙や、計数手段による給紙枚数の計数がなされる構成であるため、用紙の入れ替えや挿入を行うページ位置の指定をユーザが容易に行うことができる。
【００２３】
請求項８記載の発明によれば、抜け落ちページや不良画像ページを含み、入れ替えや挿入（追加）が必要な用紙束（入替挿入用紙束）を、第１の給紙手段から給紙してスタック部に積載する（ただし、入れ替えられた入替挿入用紙、すなわち不良画像ページは排出部へ排出される）とともに計数手段によってこの給紙枚数を計数し、入替え用又は挿入用の原稿画像が読み取られ、入替挿入画像記憶部に記憶された原稿画像データに基づいて画像形成が行われた入替印刷紙又は挿入印刷紙を、給紙枚数の情報及び順番情報に基づき、第２の給紙手段から給紙してスタック部に載置された入替挿入用紙の上に積載し、それぞれ当該入替挿入用紙束と合わせて複合用紙束を形成することにより、処理単位としての１部を完成させることができる。これにより、抜け落ちページや不良画像ページのある用紙束を破棄することなく、これらを容易に再利用することができ、ひいては省資源化を図ることができる。
【発明を実施するための最良の形態】
【００２４】
以下、本発明に係る用紙処理装置の一例としての複写機について図面を参照しながら説明する。なお、各図において同一の符号を付した構成は、同一の構成であることを示している。
【００２５】
（第１実施形態）
図１は、本発明の第１の実施形態に係る用紙処理装置の一例である後処理部を備える複写機の内部構成を概略的に示す断面図である。複写機１は、画像形成部１００を備えた本体部１０、本体部１０の上方に設置された原稿給送部２００及び原稿読取部３００、本体部１０の下部に設置されたに給紙部４００、本体部１０の一側辺部に設置された後処理部５００、本体部１０のフロント部に設置された操作表示部６００を備える。
【００２６】
原稿読取部３００は、原稿の読み取りを行って原稿に対する画像データを生成するものである。原稿読取部３００は、光学的に取得した原稿画像から画像データを生成するＣＣＤ（Charge Coupled Device）センサ及び露光ランプ等を備えたスキャナ３０１などからなり、その上面にコンタクトガラス３０２及びコンタクトガラス３０３を備える。原稿読取３００は、コンタクトガラス３０２上に載置された原稿、又は原稿給送部２００によってコンタクトガラス３０３に接するようにして搬送される原稿を走査しつつ取得した画像データを後述する制御部２０へ出力する。
【００２７】
原稿給送部２００は、原稿読取部３００へ原稿を給送するものである。原稿給送部２００は、原稿載置部２０１、搬入ローラ等を備えた搬入駆動部２０２、搬送ローラ２０３、排出ローラ２０４、排紙台２０５、及び原稿の有無を検出する原稿検出スイッチ２０６を備えており、原稿載置部２０１に載置された原稿を自動的に１枚ずつコンタクトガラス３０３に接触させつつ搬送し、原稿の露光走査後に排紙台２０５に排出する。また、原稿給送部２００は可倒式に構成されており、コンタクトガラス３０２の上面を開放するように上方に持ち上げることにより、コンタクトガラス３０２の上面に、読み取り原稿、例えば見開き状態にされた書籍等を載置することが可能に構成されている。
【００２８】
給紙部４００は、画像形成部１００へ用紙を給紙するとともに、画像形成部１００で画像形成が行われた用紙を後処理部５００へ向けて給紙するものである。給紙部４００は、各サイズの用紙が収納される給紙カセット４０１、４０２、及び本体部１０の一側方部に開閉自在に構成された手差しトレイ４０３１等からなる手差し給紙部４０３を備える。また、給紙部４００は、給紙カセット４０１、４０２から画像形成部１００を経て後処理部５００へ用紙を搬送する搬送路４０４、手差し給紙部４０３から画像形成部１００へ用紙を搬送する搬送路４０５を備える。各給紙カセット４０１、４０２及び手差し給紙部４０３は、収納されている用紙を取り出すためのピックアップローラ４０６、４０７、４０８、用紙を１枚ずつ各搬送路に送り出す給紙ローラ４０９、４１０、４１１を備える。搬送路４０４は、用紙を搬送する搬送ローラ４１２、４１３、及び搬送されてくる用紙を画像形成部１００の手前で待機させるレジストローラ４１４を備える。搬送路４０５は、レジストローラ４１４の上流側で搬送路４０４と合流している。
【００２９】
画像形成部１００は、給紙部４００によって搬送されてきた用紙に対して所定の画像形成（印刷）を行うものである。画像形成部１００は、同図中に示す矢印方向に回転可能に支持された感光体ドラム１０１、感光体ドラム１０１の周囲に配設された帯電部１０２、現像部１０３、クリーニング部１０４、レーザ走査ユニット１０５、転写ローラ１０６及び定着ローラ１０７を備える。
【００３０】
帯電部１０２は、感光体ドラム１０１の表面を所定電位に均一に帯電させるものである。レーザ走査ユニット１０５は、後述する画像記憶部３０から送信された画像データに基づき、レーザービームを感光体ドラム１０１の表面に照射し、感光体ドラム１０１表面に静電潜像を形成するものである。現像部１０３は、静電潜像にトナーを付着させて画像（原稿画像）を顕在化させるものである。転写ローラ１０６は、搬送されてきた用紙を感光体ドラム１０１に押し付けた状態で、感光体ドラム１０１上に顕在化したトナー像をこの用紙に転写するものである。定着ローラ１０７は、用紙に転写されたトナー像を定着させるものである。定着ローラ１０７は、図略のヒートローラ及び圧ローラからなり、このヒートローラの熱によって用紙上のトナーを溶かし、圧ローラによって圧力をかけてトナーを用紙上に定着させるものである。クリーニング部１０４は、用紙への画像転写の終了後、感光体ドラム１０１の表面に残留したトナーを清掃するものである。
【００３１】
本体部１０の上部には、用紙排出部１０８が配設され、定着ローラ１０７から搬送されてきた用紙は、排出ローラ１０９によって用紙排出部１０８に排出される。また、定着ローラ１０７から搬送されてきた用紙は、排出ローラ１１０によって後処理部５００へ排出される。なお、用紙の搬送方向は、排出分岐ガイド１１１によって、排出ローラ１０９側と排出ローラ１１０側とに切り替え可能に構成されている。
【００３２】
操作表示部６００は、ユーザの操作に応じて所定の指示入力を行うものである。操作表示部６００は、ユーザが印刷実行指示を入力するためのスタートキー６０１と、印刷部数等を入力するためのテンキー６０２と、各種複写動作の設定等を入力するための操作ガイド情報（メッセージ）等を表示すると共に、種々の操作ボタン等が表示される液晶表示器（ＬＣＤ）等からなる表示器６０３とを備える。
【００３３】
後処理部５００は、本体部１０で画像形成処理（印刷処理）された後、排出（搬入）されてきた用紙（以降、本体部１０で所定の画像形成が施された用紙のことを、適宜、印刷紙という）に対してステイプル処理等の後処理を行うものである。後処理部５００は、排出ローラ１１０を経て搬入されてきた用紙に対してパンチ処理を行うパンチ処理部５０１、搬入された用紙の搬送を行う中間ローラ５０２、用紙束の排出に適した基準位置に位置調整するべく昇降機構５０３により昇降可能にされたメイントレイ５０４、後処理部５００の上部一側面側に配設されたサブトレイ５０５、パンチ処理部５０１から搬送されてきた用紙、又は後述のステイプル処理部５２０から搬送されてきた用紙（用紙束）をメイントレイ５０４へ排出する排出ローラ５０６、パンチ処理部５０１から搬送されてきた用紙をサブトレイ５０５へ排出する排出ローラ５０７、用紙の搬送方向をメイントレイ５０４側とサブトレイ５０５側とステイプル処理部５２０側とのいずれかに切り替える所定数の分岐ガイド５０８、中間ローラ５０２から搬送されてきた用紙を一旦退避させる退避ドラム５０９、さらに、ステイプル処理部５２０、中折り処理部５４０、及びインサータ部５６０を備える。
【００３４】
なお、排出ローラ５０６は、中間ローラ５０２側から搬送されてきた用紙の裏表面の向きを反転させるべく逆回転可能な構成とされている。すなわち、排出ローラ５０６は、中間ローラ５０２側から搬送されてきた用紙を、当該用紙の後端部側が排出ローラ５０６の位置辺りにくるまで搬送し（用紙の先端側を排出ローラ５０６外へ突出させ）、その後、排出ローラ５０６の回転を逆回転させてこの用紙を矢印Ａ方向に示す搬送経路でステイプル処理部５２０（スタックトレイ５１１）へ向けて搬送する。これにより、後述するインサータトレイ５６１から搬送された用紙が、裏表面が反転されてスタックトレイ５１１へ載置される。また、退避ドラム５０９は、ステイプル処理を行う用紙束が２部以上ある場合に、ステイプル処理後に排出される用紙束と、本体部１０から新たに搬入されてくる次の用紙束の１枚目の用紙とが交錯しないように、この搬入された用紙束の１枚目を退避ドラム５０９に巻き付けた状態にして一旦退避させておき、２枚目の用紙と共にステイプル処理部５２０に導入することが可能な構成とされている。なお、退避ドラム５０９は、排出ローラ５０７から用紙を排出する際に排出ローラ５０７へ向けて用紙を搬送するべく回転可能に構成されている。
【００３５】
ステイプル処理部５２０は、中間ローラ５０２を経由して搬送されてきた用紙に対し、中綴じ処理等のステイプル処理を行うものである。ステイプル処理部５２０は、搬送されてきた用紙を用紙束として一時的に積載（スタック）しておくスタックトレイ５１１、スタックトレイ５１１の用紙載置面（後述の載置面５１６）に対して突没自在に設けられ、当該スタックトレイ５１１に搬入されてきた用紙の搬送を一時的に停止させるストッパ５１２、及びスタックトレイ５１１に載置された用紙束に対して綴じ処理を行うステイプラ５１３を備えている。なお、ストッパ５１２は無端ベルト５１２ａに設けられ、この無端ベルト５１２ａの回転（無端回転）に伴い上記用紙載置面に対して突没される構成となっている。
【００３６】
スタックトレイ５１１に搬入されてきた用紙は、その先端部がストッパ５１２に衝突して停止する。続いて搬入されてきた用紙も同じくストッパ５１２に衝突して停止する。このようにして所定枚数の用紙がスタックトレイ５１１上に順次重ねて載置され、用紙束が形成される。そして、この用紙束に対し、ステイプラ５１３によって搬送方向中央部にステイプル止めを行う中綴じ処理が行われる。なお、ステイプル処理部５２０は、ストッパ５１２の位置を無端ベルト５１２ａの回転によって移動させ、ステイプラ５１３に対する用紙束の位置を搬送方向に平行移動させて位置決めすることにより、中綴じ処理の他に、用紙束の搬送方向の端部位置を綴じる端綴じ処理が選択的に可能な構成となっている。
【００３７】
このようにして綴じ処理が行われた用紙束は、無端ベルト５１２ａ及び無端ベルト５１４の回転に伴い排出ローラ５０６へ向けて搬送され、排出ローラ５０６によってメイントレイ５０４へ排出されたり、あるいは更に中折り処理を施すべく中折り処理部５２０へ搬送される。ただし、無端ベルト５１４には突起体５１５が設けられており、用紙束の排出が行われる場合、無端ベルト５１２ａの回転に伴いストッパ５１２に押し上げられてきた用紙束は、更に、この無端ベルト５１５の回転に伴う突起体５１５によって後端部が押されながら排出ローラ５０６へ向けて搬送される。また、用紙束がスタックトレイ５１１から中折り処理部５２０へ向けて搬送されるときには、無端ベルト５１２ａの時計回りの回転によりストッパ５１２が搬送路から退避（没入）する。
【００３８】
なお、スタックトレイ５１１には、用紙束が載置される載置面５１６を覆うように配置されたカバー体５１１ａが設けられており、このカバー体５１１ａに上記ステイプラ５１３におけるステイプルの針を受ける側のステイプルクリンチ５１３ｂが取り付けられている（載置面５１６のステイプルの針が設置されている側にはステイプルヘッド５１３ａが取り付けられている）。カバー体５１１ａの下方部（中折り処理部５４０側）は当該カバー体５１１ａが載置面５１６に対して開閉自在となるように接合されており、このカバー体５１１ａを開くことにより載置面５１６上に載置されている用紙束の取り出しが可能な構成とされている。また、スタックトレイ５１１の用紙搬送方向の両側部には、載置面５１６上に載置された用紙束の側縁を正確に位置合わせするための幅寄せ部材（図略）が設けられている。
【００３９】
ところで上記用紙束は、本体部１０から搬送されてきた印刷紙、あるいは後述するインサータ部５６０により搬送されてきた挿入紙等に対してステイプル処理等の後処理を行うべく、スタックトレイ５１１（載置面５１６）に順次、当該印刷紙又は挿入紙が積載されている際に、例えば印刷紙がスタックトレイ５１１に到るまでの搬送路中で詰まったりするなどしてジャムが発生し、このとき既にスタックトレイ５１１に、折れ曲がりや破れ等の破損が無く無事（セーフ）に積載されていた印刷紙又は挿入紙からなる紙の束のことである。この用紙束のことを、以降、適宜、セーフ用紙束という。
【００４０】
中折り処理部５４０は、ステイプル処理部５２０によってステイプル処理が施された用紙束に対して中折り処理を行うとともに、中折り用排出トレイ５４１へこの用紙束の排出を行うものである。
【００４１】
インサータ部５６０は、ステイプル処理部５２０のスタックトレイ５１１に載置されている用紙（用紙束）に対して、表紙及び裏紙（カバー紙）や合紙（インサート紙）等の挿入紙の給紙を行うものである。インサータ部５６０は、挿入紙が載置されるインサータトレイ５６１と、インサータトレイ５６１に載置された挿入紙を装置内に取り込む取込機構５６２と、取り込んだ挿入紙を搬送ローラ５６３ａによってパンチ処理部５０１へ向けて搬送する搬送路５６３と、インサータトレイ５６１上から取込機構５６２によって取り込まれる用紙の枚数（以降、適宜、取込枚数という）を計数するための枚数検出部５６４とを備える。なお、本第１の実施形態においては、インサータトレイ５１１に載置される用紙（取り込まれる用紙）は、挿入紙だけでなく、後述するセーフ用紙（束）も含まれる。
【００４２】
取込機構５６２は、ピックアップローラ５６５、給紙ローラ５６６、及び給紙ローラ５６６に対向する位置にある制動ローラ５６７等により構成される。インサータトレイ５６１に載置された用紙は、取込機構５６２によって１枚ずつ繰り出され、装置内（搬送路５６３）に取り込まれる。取込機構５６２によって取り込まれる際、まず、ピックアップローラ５６５及び給紙ローラ５６６の回転駆動が開始される。そして、用紙上にピックアップローラ５６５が圧接されて当該用紙がインサータトレイ５６１から１枚引き出される。この引き出された用紙は、給紙ローラ５６６と制動ローラ５６７との間のニップ部に送られる。制動ローラ５６７は、用紙がニップ部に送られてくると給紙ローラ５６６に従動回転する。また、制動ローラ５６７は、用紙が２枚以上ニップ部に送られてくると逆回転し、１枚目より下側（制動ローラ５６７側）の記録紙を押し戻す。これにより用紙の多数枚送りが防止される。
【００４３】
枚数検出部５６４は、回動腕部５６４ａと計数用スイッチ部５６４ｂとを備える。回動腕部５６４ａは、下方に向けて延びてなるアーム状のものであり、上端側が例えばピックアップローラ５６５の軸部に回動可能に支持されている。計数用スイッチ５６４ｂは、赤外線等の光線を発光する発光部と、この発光された光線を受光する受光部とを備えてなるフォトセンサであり、発光部及び受光部間の光軸が、用紙の取り込みに伴う回動腕部５６４ａの矢印Ｂ方向に示す回転による回動腕部５６４ａの先端部によって遮断・非遮断とされることによりＯＮ／ＯＦＦ信号を出力する。
【００４４】
なお、枚数検出部５６４は、インサータトレイ５６１の回動腕部５６４ａの先端（下端）部に対向する位置に配設された、上記と同様のフォトセンサである用紙検出用スイッチ部５６４１を備え、インサータトレイ５６１上に用紙が載置されてこの用紙の先端辺部に押されることによる回動腕部５６４ａの回転（計数用スイッチ５６４ｂの位置までは回転しない）に伴う上記光軸の遮断・非遮断によりＯＮ／ＯＦＦ信号を出力する。枚数検出部５６４は、このように、インサータトレイ５６１上に用紙が載置されているか否かの検出を行う用紙検出部としての機能も有している。上記各ＯＮ／ＯＦＦ信号は後述する制御部２０に入力される。
【００４５】
ところで、スタックトレイ５１１から取り出されたセーフ用紙束を、インサータトレイ５６１上に載置する際には、載置面５１６上に載置されていたときのセーフ用紙束の下面側（１枚目）が最上面にくるように全体を裏返した状態で載置される。これにより、セーフ用紙束が取込機構５６２により１ページ目から順に取り込まれる。ただし、取り込まれた各セーフ用紙は、ページの裏表面が逆になった状態でスタックトレイ５１１に積載されないように、順に、排出ローラ５０６の逆回転に基づく反転動作により裏表面が反転されてスタックトレイ５１１へ搬送されて積載される。
【００４６】
図２は、図１に示す複写機１の概略構成を示すブロック図である。複写機１は、装置全体の動作制御を司る制御部２０を備える。制御部２０は、レーザ走査ユニット１０５や定着ローラ１０７等からなる画像形成部１００、搬入駆動部２０２や搬送ローラ２０３等からなる原稿給送部２００、スキャナ３０１やコンタクトガラス３０３等からなる原稿読取部３００、給紙カセット４０１や搬送路４０４等からなる給紙部４００、ステイプル処理部５２０やインサータ部５６０等からなる後処理部５００、スタートキー６０１や表示器６０３等からなる操作表示部６００、画像記憶部３０、及び画像処理部４０などが接続されている。なお、後処理部５００は、上記計数用スイッチ５６４ｂや用紙検出用スイッチ部５６４１を有する枚数検出部５６４等からなる検出部５５０を備える。
【００４７】
画像記憶部３０は、原稿読取部３００によって読み取られた所定枚数分の原稿の画像データや図略のネットワークＩ／Ｆ部等を介してＰＣ等の情報処理装置から送信されてきた画像データを一時的に記憶するメモリである。画像処理部４０は、画像データに対する例えばガンマ処理や拡大縮小処理といった各種画像処理を行うものである。
【００４８】
制御部２０は、複写機１の制御プログラム等を記憶するＲＯＭ（Read Only Memory）、一時的にデータを格納するＲＡＭ（Random Access Memory）、及び制御プログラム等をＲＯＭから読み出して実行するＣＰＵ等からなり、操作表示部６００等から入力された所定の指示情報や、本装置の各所に設けられた各種センサからの検出信号に応じて装置全体の制御を行うものである。制御部２０は、枚数計数部２１、部数設定部２２、挿入情報設定部２３、再利用情報設定部２４及び表示制御部２５を備える。
【００４９】
枚数計数部２１は、枚数検出部５６４からの出力信号（ＯＮ／ＯＦＦ信号）に基づいて、インサータトレイ５６１上から搬送路５６３に搬入された（取り込まれた）、用紙の枚数を計数するものであり、所謂カウンタとして機能するものである。枚数計数部２１は、用紙が搬入されて上記ＯＮ、ＯＦＦの切り替え動作が検出されるごとに積算（カウントアップ）を行い、搬入された用紙の総枚数を計数する。なお、枚数計数部２１は、用紙検出用スイッチ部５６４１からの出力信号（ＯＮ／ＯＦＦ信号）を受け付け、インサータトレイ５６１上に所定の用紙が載置されていることを識別する。
【００５０】
部数設定部２２は、操作表示部６００から入力された部数情報を設定する（受け付ける）ものである。部数情報とは、所定枚数からなる原稿を何部印刷（コピー）するか、あるいは印刷によって得られる用紙束（以降、適宜、印刷紙束という）の何部について、ステイプル処理等の後処理を行うかを示す情報である。例えば用紙１０枚からなる用紙束を１部とし、部数設定部２２に設定された部数が例えば１０部であるとすると、用紙（印刷紙）１０枚を１組としたものが１０組作成される。なお、この「部数」は操作表示部６００の例えばテンキー６０２から入力される。
【００５１】
挿入情報設定部２３は、上記表紙及び裏紙や合紙等の挿入紙を、所定枚数からなる１部の印刷紙束におけるいずれのページ（ページ間）に挿入するか、すなわち、何枚目に挿入するかに関する挿入情報を設定する（受け付ける）ものである。この挿入情報は、操作表示部６００から入力される。
【００５２】
ここで、図３に操作表示部６００の拡大図を示す。操作表示部６００から挿入情報を入力する場合、例えば図３に示すように、表示器６０３の挿入用紙選択領域６０４に表示された表紙ボタン６０５、裏紙ボタン５０６及び合紙ボタン６０７の中から所望のボタンが選択されて押下される。ただし、１部の印刷紙束に表紙及び／又は裏紙を挿入する場合、表紙ボタン６０５、裏紙ボタン５０６を押下することによって、それぞれ自動的に印刷紙束の先頭ページの前に、あるいは最終ページの後に表紙及び／又は裏紙が挿入される。
【００５３】
合紙を挿入する場合には、合紙ボタン６０７が押下された後、順番ボタン６０８が押下され、さらにテンキー６０２から当該合紙を印刷紙束の何枚目に挿入するかを示す順番が入力される。この場合、挿入情報設定部２３に例えば順番が５番であると設定されると、先頭ページから数えて５枚目（５ページ目）と６枚目（６ページ目）との間に合紙が挿入される。
【００５４】
再利用情報設定部２４は、ジャム等によってスタックトレイ５１１から取り出されたセーフ用紙束の再利用を行うことを示す再利用情報を設定する（受け付ける）ものである。再利用情報は、操作表示部６００の例えば上記図３に示す再利用ボタン６１０の押下によって入力される。再利用情報設定部２４は、再利用情報が設定されると、画像記憶部３０による１部の印刷紙束に対応する枚数分の原稿画像データを記憶した状態を維持しつつ、装置各部をインサータ部５６０によるセーフ用紙束の取り込み、及び取り込む枚数の計数動が可能となるような状態（モード）に切り替える。
【００５５】
表示制御部２５は、図３に示すような挿入情報を入力する画面等の各種設定画面（入力用画面）の表示操作部６００への表示制御を行うものである。また、表示制御部２５は、インサータ部５６０によりセーフ用紙束を取り込む際に、インサータトレイ５６１上にセーフ用紙束又は挿入紙が載置されていない場合等の、例えば「インサータトレイに用紙がセットされていません。用紙をセットして下さい。」などというメッセージ文の表示制御を行う。
【００５６】
ここで、上述のようにジャムが発生した場合に、搬送路に詰まった状態の用紙を取り除くなどしてジャムを解消した後、スタックトレイ５１１に積載されているセーフ用紙束を取り出し、このセーフ用紙束をインサータ部５６０により取り込んで再利用する場合の動作の概要について、以下、図４、５を用いて説明する。
【００５７】
図４は、挿入紙が挿入されていないセーフ用紙束の再利用動作、すなわち、本体部１０から後処理部５００に搬入される印刷紙に対して、インサータ部５６０による挿入紙の挿入を行わない所謂通常の出力時（出力モード時）においてジャムが発生した場合のセーフ用紙束の再利用動作を説明する図である。ただし上記出力とは、本体部１０において画像形成を行う、又は後処理部５００においてステイプル処理や中折り処理等の後処理を行うことを示す。
【００５８】
まず、例えば１部が１０枚（１０枚の原稿）からなる印刷紙束を５部出力する場合において、或る部数目に対する出力中にジャムが発生したとする（ジャムが発生しない時点で１部が完成した、すなわち１０枚が全て揃った印刷紙束は、所定の後処理が行われて既に排出されている）。この場合、ユーザによって当該ジャムが解消された後、スタックトレイ５１１に積載されていたセーフ用紙束が取り出され、このセーフ用紙束がインサータトレイ５６１に上述のように裏返された状態で載置される。そして、セーフ用紙束が１枚ずつ順に搬送路５６３を経て後処理部５００内に取り込まれ、枚数検出部５６４による取込枚数が計数されるとともにスタックトレイ５１１まで搬送され、スタックトレイ５１１上に重ねて積載される。当該取込枚数の計数により、セーフ用紙束の用紙枚数が例えば符号４１に示す５枚であると検出される。
【００５９】
ここでは１部が１０枚からなるため、この１部を完成させるため、すなわち、ジャム等により一部分のページしか給紙されなかった未完成の用紙束に対する、残りのページを補充するべく給紙を行う（以降、このことをリカバリーするという）ためには、符号４２に示す６〜１０枚目が必要となる。そこで、取込枚数の検出に基づき、６〜１０枚目に対応する原稿画像データを用いて画像形成部１００により画像形成が行われた５枚（６〜１０枚目）の印刷紙が、本体部１０から後処理部５００へ搬入され、スタックトレイ５１１上に既に積載されている５枚（１〜５枚目）のセーフ用紙束の上に積載される。なお、６〜１０枚目の原稿画像データは、予め原稿読取部３００で１０枚の原稿が読み取られて画像記憶部３０に記憶されている、原稿１０枚分の画像データのうちの６〜１０枚目の画像データが用いられる（以下の図５の場合も同様）。
【００６０】
このように、セーフ用紙束がインサータトレイ５６１から取り込まれて取込枚数が計数され、この計数情報に基づいてセーフ用紙束（５枚）に対して１部の残りの用紙（５枚）が自動的に補充され、合計１０枚からなる複合用紙束（１部）が形成（完成）される。この完成された複合用紙束は、所定の後処理が施された後、メイントレイ５０４や中折り用排出トレイ５４１へ排出される。このようにしてリカバリー動作（復帰動作）が行われた後は、符号４３に示す残りの「部」に対する出力が順次行われる。
【００６１】
図５は、挿入紙が挿入されているセーフ用紙束の再利用動作、すなわち、本体部１０から後処理部５００に搬入される印刷紙に対して、インサータ部５６０による挿入紙の挿入を行う出力時（例えばインサートモード又はカバーモード時）においてジャムが発生した場合のセーフ用紙束の再利用動作を説明する図であり、（ａ）は、各印刷紙束に表紙が挿入される場合、（ｂ）は、各印刷紙束に裏紙が挿入される場合、（ｃ）は、各印刷紙束に表紙及び裏紙が挿入される場合、（ｄ）は、各印刷紙束に合紙が挿入される場合を示す図である。
【００６２】
まず、図５（ａ）の場合、例えば１部が１０枚からなる印刷紙束を、表紙付きで（表紙付きで１部が１１枚となる）５部出力する際、或る部数目に対する出力中にジャムが発生したとする。このジャム解消後、ユーザによって、インサータトレイ５６１上に現在載置されている表紙束（挿入紙束）が一旦取り除かれるとともに、スタックトレイ５１１のセーフ用紙束が取り出され、当該表紙束が取り除かれたインサータトレイ５６１上にセーフ用紙束が裏返した状態で載置される。そして、取込枚数が計数されつつ順次セーフ用紙束が取り込まれ、スタックトレイ５１１まで搬送されて積載される。当該計数により、符号５１ａに示す１枚目の表紙を含む３枚が無事であったことが検出されると、図４に示す場合と同様、符号５２ａに示す４〜１１枚目の印刷紙が自動的に本体部１０側から補充されて１部の複合用紙束が完成し（リカバリーされ）、この複合用紙束に対する所定の後処理が行われて排出される。その後、以降の「部」に対する表紙を挿入するべく、ユーザによって一旦取り除かれていた表紙束が、ユーザによって再びインサータトレイ５６１上に載置され、符号５３ａに示す残りの「部」に対する出力が自動的に行われる。すなわち、スタックトレイ５１１に先ずインサータトレイ５６１から搬送されてきた表紙が積載され、その後、本体部１０から搬送されてきた２〜１１枚目の印刷紙が順次積載されて１部が完成し、これに所定の後処理が行われて排出される、という動作が最後の「部」（ここでは第５部）が完了するまで自動的に繰り返される。
【００６３】
次に、図５（ｂ）の場合、例えば１部が１０枚からなる印刷紙束を裏紙付きで５部出力する際、或る部数目に対する出力中にジャムが発生したとする。このジャム解消後、インサータトレイ５６１上の裏紙束（挿入紙束）が一旦取り除かれるとともに、スタックトレイ５１１から取り出されたセーフ用紙束が裏返された状態でインサータトレイ５６１上に載置され、その後、取込枚数が計数されつつ取り込まれてスタックトレイ５１１に積載される。当該計数により、符号５１ｂに示す１０枚が無事、すなわち、全ての印刷紙が無事であったことが検出されると、ユーザによってインサータトレイ５６１に裏紙が載置されてこれが取り込まれ、上記無事の１０枚の印刷紙上に載置される。これによって１部の複合用紙束が完成され、所定の後処理が行われて排出される。その後は、上記インサータトレイ５６１に裏紙束が載置された状態のまま、自動的に符号５３ｂに示す残りの「部」に対する出力が行われる。
【００６４】
また、図５（ｃ）の場合、例えば１部が１０枚からなる印刷紙束を表紙及び裏紙付きで５部出力する際（この場合、１部は、表紙及び裏紙を含めて１２枚となる）、或る部数目に対する出力中にジャムが発生したとする。このジャム解消後、インサータトレイ５６１上の挿入紙束（ここでば、表紙と裏紙とは同一の紙を用いる）が一旦取り除かれるとともに、スタックトレイ５１１から取り出されたセーフ用紙束が裏返された状態でインサータトレイ５６１に載置され、その後、取込枚数が計数されつつ取り込まれてスタックトレイ５１１に積載される。当該計数により、符号５１ｃに示す１枚目の表紙を含む３枚が無事であったことが検出されると、符号５２ｃに示す４〜１１枚目の印刷紙が自動的に本体部１０側から補充される。そして更に、ユーザによってインサータトレイ５６１上に裏紙（符号５３ｃ参照）が載置されてこれが取り込まれ、１１枚目の印刷紙上に積載されることにより、当該１部の複合用紙束が完成される。この複合用紙束は所定の後処理が行われて排出される。その後は、上記インサータトレイ５６１に挿入紙束が載置された状態のまま、自動的に符号５４ｃに示す残りの「部」に対する出力が行われる。
【００６５】
また、図５（ｄ）の場合、例えば１部が１０枚からなる印刷紙束を合紙付きで５部出力する際（この場合、挿入する合紙の枚数に応じて１部の枚数が異なる；ここでは合紙を１部につき２枚挿入する）、或る部数目に対する出力中にジャムが発生したとする。このジャム解消後、インサータトレイ５６１上の合紙束（挿入紙束）が一旦取り除かれるとともに、スタックトレイ５１１から取り出されたセーフ用紙束が裏返された状態でインサータトレイ５６１に載置され、その後、取込枚数が計数されつつ取り込まれてスタックトレイ５１１に積載される。当該計数により、符号５１ｄに示す３枚目の合紙を含む４枚が無事であったことが検出されると、符号５２ｄに示す５枚目の印刷紙が自動的に本体部１０側から補充される。そして、ユーザによってインサータトレイ５６１上に合紙（符号５３ｄ参照）が載置されてこれが取り込まれ、さらに符号５４ｄに示す７〜１２枚目の印刷紙が自動的に本体部１０側から補充される。これにより、当該１部の複合用紙束が完成される。この複合用紙束は所定の後処理が行われて排出される。その後は、上記インサータトレイ５６１に合紙束が載置された状態のまま、自動的に符号５５ｄに示す残りの「部」に対する出力が行われる。
【００６６】
図６は、図４に示す場合の複写機１の動作の一例を示すフローチャートである。まず、ステップＳ１において、ジャム解消後にスタックトレイ５１１から取り出されたセーフ用紙束がインサータトレイ５６１上に載置され、このセーフ用紙束が載置されたことが用紙枚数検出部５６４の用紙検出用スイッチ部５６４１（枚数計数部２１）によって検出される。ステップＳ２において、再利用ボタン６１０の押下により入力された再利用情報が、再利用情報設定部２４に受け付けられて設定される。次に、ステップＳ３において、インサータ部５６０（第１給紙部）によるセーフ用紙束の給紙、すなわち、インサータトレイ５６１から取込機構５６２によるセーフ用紙束（セーフ用紙１枚）が取り込まれ、搬送路５６３を経由してスタックトレイ５１１へ向けての搬送が行われる。ステップＳ４において、当該セーフ用紙の給紙とともに枚数検出部５６４（枚数計数部２１）による給紙枚数（取込枚数）の計数が行われ、ステップＳ５において、当該計数されたセーフ用紙がスタックトレイ５１１まで搬送されて積載される。
【００６７】
次にステップＳ６において、インサータ部５６０によるセーフ用紙束の給紙が終了していない場合には（ステップＳ６のＮＯ）、上記ステップＳ３に戻って次のセーフ用紙の取り込み（給紙）が行われる。セーフ用紙束の給紙が終了した場合（ステップＳ６のＹＥＳ）、すなわち、セーフ用紙束が全て取り込まれるとともにセーフ用紙束の給紙枚数が計数されてスタックトレイ５１１上への積載が完了した場合には、ステップＳ７において、上記給紙枚数の情報に基づいて、セーフ用紙束とともに１部を構成する残りの用紙（印刷紙）の給紙部４００（第２給紙部）による給紙、すなわち、給紙カセット４０１、４０２又は手差しトレイ４０３１に収納されている用紙の画像形成部１００への搬送、さらに当該画像形成部１００により画像形成された印刷紙のスタックトレイ５１１へ向けての搬送が行われる。
【００６８】
ステップＳ８において、上記給紙部４００による給紙とともに画像形成部１００による画像形成が行われ、ステップＳ９において、当該画像形成された印刷紙がスタックトレイ５１１まで搬送され、上記ステップＳ５で積載されたセーフ用紙束の上から積載される。ステップＳ１０において、給紙部４００による印刷紙の給紙が終了していない場合には（ステップＳ１０のＮＯ）、上記ステップＳ７に戻って次の給紙が行われる。印刷紙の給紙が終了した場合、すなわち、１部のリカバリーが完了してセーフ用紙束と印刷紙とからなる複合用紙束が形成された場合には（ステップＳ１０のＹＥＳ）、ステップＳ１１において、この複合用紙束に対するステイプル処理等の後処理が行われ、メイントレイ５０４等への排出が行われる。
【００６９】
図７は、図５に示す場合の複写機１の動作の一例を示すフローチャートである。まず、ステップＳ２１において、ジャム解消後、スタックトレイ５１１から取り出されたセーフ用紙束がインサータトレイ５６１上に載置され、当該セーフ用紙束が載置されたことが用紙検出用スイッチ部５６４１によって検出される。ステップＳ２２において、再利用ボタン６１０の押下により入力された再利用情報が、再利用情報設定部２４に受け付けられて設定される。次に、ステップＳ２３において、インサータ部５６０（第１給紙部）によるセーフ用紙の給紙が行われる。ステップＳ２４において、当該セーフ用紙の給紙とともに枚数検出部５６４（枚数計数部２１）による給紙枚数の計数が行われ、ステップＳ２５において、当該計数されたセーフ用紙がスタックトレイ５１１まで搬送されて積載される。
【００７０】
次にステップＳ２６において、インサータ部５６０によるセーフ用紙束の給紙が終了していない場合には（ステップＳ２６のＮＯ）、上記ステップＳ３に戻って次のセーフ用紙の取り込みが行われる。セーフ用紙束の給紙が終了した場合（ステップＳ２６のＹＥＳ）、ステップＳ２７において、枚数検出部５６４（枚数計数部２１）の計数によるセーフ用紙束の枚数結果から、１部における挿入紙以外の全ての印刷紙が無事で、新たに印刷紙の本体部１０からの補充を行う必要がないと判明した場合には（ステップＳ２７のＹＥＳ）、ステップＳ３８において、当該スタックトレイ５１１に積載されているセーフ用紙束の上に、インサータ部５６０により取り込まれて搬送されてきた挿入紙（裏紙）が積載され、この裏紙付きのセーフ用紙束に対するステイプル処理等の後処理が行われ、メイントレイ５０４等への排出が行われる。
【００７１】
新たに印刷紙の本体部１０からの補充を行う必要がある判明した場合には（ステップＳ２７のＮＯ）、ステップＳ２８において、上記ステップＳ２５においてスタックトレイ５１１上に載置されているセーフ用紙束の上に、更に積載させるための用紙が上記１部を構成する残りの印刷紙（補充ページ）である場合には（ステップＳ２８のＹＥＳ）、ステップＳ２９において、給紙枚数の情報に基づいて、給紙部４００（第２給紙部）によるスタックトレイ５１１へ向けての残りの印刷紙の給紙が行われ、ステップＳ３０において、この給紙部４００による給紙とともに画像形成部１００による画像形成が行われ、ステップＳ３１において、当該画像形成された印刷紙がスタックトレイ５１１まで搬送されて積載される。１部を構成する残りの印刷紙でない場合には（ステップＳ２８のＹＥＳ）、次のステップＳ３２に進む。
【００７２】
ステップＳ３２において、セーフ用紙束の上に更に積載させる用紙が、挿入紙（挿入ページ）である場合には（ステップＳ３２のＹＥＳ）、ステップＳ３３において、インサータトレイ５６１上に挿入紙束が載置されたことが検出用スイッチ５６４１により検出され、ステップＳ３４において、インサータ部５６０によるスタックトレイ５１１へ向けての挿入紙の給紙が行われ、ステップＳ３５において、当該挿入紙が上記セーフ用紙束上に積載される。挿入紙でない場合には（ステップＳ３２のＹＥＳ）、次のステップＳ３６に進む。ステップＳ３６において、１部の最終ページである場合には、すなわち、スタックトレイ５１１上に、セーフ用紙束、印刷紙及び挿入紙（表紙、裏紙又は合紙）からなる１部の複合用紙束が完成されている場合には（ステップＳ３６のＹＥＳ）、ステップＳ３７において、この複合用紙束に対するステイプル処理等の後処理が行われ、メイントレイ５０４等への排出が行われる。１部の最終ページでない場合には（ステップＳ３６のＮＯ）、上記ステップＳ２８に戻る。
【００７３】
（第２実施形態）
本実施形態では、例えば抜け落ちページや不良画像ページを含む用紙束に対する、用紙の入替え又は挿入（追加）が行われる。以下、図８〜１１を用いてこれを説明する。
【００７４】
図８は、本発明の第２の実施形態に係る画像形成装置の一例である複写機１ａの概略構成を示すブロック図である。図８における複写機１ａと、図２における複写機１とでは下記の点で異なる。すなわち、複写機１ａでは、制御部２０に部枚数情報設定部２２ａ、順番情報設定部２３ａ、入替挿入情報設定部２４ａ及び表示制御部２５ａを備える。その他の構成は図２に示す複写機１と同様でありその説明を省略する。
【００７５】
部枚数情報設定部２２ａは、操作表示部６００から入力された部枚数情報を設定する（受け付ける）ものである。部数情報とは、１部が何枚の用紙からなるかを示す情報である。この部枚数は操作表示部６００の例えばテンキー６０２により入力される。ここで、図９に操作表示部６００の拡大図を示す。操作表示部６００から部数情報を入力する場合、例えば図９に示すように、表示器６０３に表示された部枚数ボタン６２１が押下され、引き続いてテンキー６０２により部枚数が入力される。なお、部枚数の設定を行うことによって、後述の入替挿入用紙束が複数部数分だけ重ね置き（積載）されているもの（入替挿入用紙束郡）をインサータトレイ５６１から取り込む際、枚数計数部２１により計数された給紙枚数と当該部枚数の情報により、入替挿入用紙束郡における各「部」の区切りが検出できる、すなわち、現在、何部目における入替挿入用紙の給紙が行われているかを検出することが可能となる。
【００７６】
順番情報設定部２３ａは、操作表示部６００から入力された順番情報を設定する（受け付ける）ものである。順番情報とは、所定部数の用紙束に対して用紙の入れ替えを行う場合の入替えページ、あるいは用紙の挿入を行う場合の挿入ページを示す情報であり、上記と同様に操作表示部６００から入力される。この場合、例えば図９に示すように、表示器６０３に表示された入替ボタン６２２及び挿入ボタン６２３のいずれかのボタンが選択されて押下された後、順番ボタン６２４が押下され、引き続いてテンキー６０２により順番が入力されることにより設定される。順番情報設定部２３ａに、例えば入れ替えを行う順番が３番であると設定されると、入替挿入用紙束の先頭ページから数えて３枚目のページが他の用紙（ここでは、入替用原稿の読み取りにより得られた原稿画像データに基づいて画像形成がなされた印刷紙）と入れ替えられるようになる。また、例えば挿入する順番が７番であると設定されると、入替挿入用紙束の先頭ページから数えて７枚目と８枚目との間に他の用紙（ここでは、挿入用原稿の読み取りにより得られた原稿画像データに基づいて画像形成がなされた印刷紙）が挿入されるようになる。
【００７７】
なお、複数実行ボタン６２５は、複数枚からなる入替用原稿又は挿入用原稿を用いての用紙（印刷紙）の入替え又は挿入が行えるよう入力するボタンである。例えば３枚の入替用原稿（又は挿入用原稿）があるとすると、例えば複数実行ボタン６２５を押下した後、入替ボタン６２２（又は挿入ボタン６２３）及び順番ボタン６２４を押下し、テンキーにより例えば２番、５番、８番と順番を入力する。これにより、入替用原稿（又は挿入用原稿）に対して画像形成された３枚の印刷紙が、順に入替挿入用紙束の２、５、８ページ目に対して入れ替えされる。
【００７８】
上記用紙の入れ替え又は挿入が行われる用紙束のことを、以降、入替挿入用紙束という。この入替挿入用紙束は、具体的には、抜け落ちページや不良画像ページがあるステイプル止めされた冊子（用紙束）から、ステイプル等が取り外されて各ページが分離された状態に束ねられているものである。なお、上記所定部数の用紙束とは、ここでは、当該ステイプル等が取り外された入替挿入用紙束が、所定部数分、例えば１０部とすると、１０冊重ね置きされた状態になっている入替挿入用紙束群を示している。
【００７９】
入替挿入情報設定部２４ａは、操作表示部６００の入替ボタン６２２又は挿入ボタン６２３の押下により入力された用紙入れ替えを行うことを示す入替情報、及び用紙挿入を行うことを示す挿入情報（これらを合わせて入替挿入情報という）を設定する（受け付ける）ものである。再利用情報設定部２４は、入替挿入情報が設定されと、装置各部を、インサータ部５６０による入替挿入用紙の取り込み、及び取り込む枚数の計数動が可能となるような状態（モード）にする。
【００８０】
表示制御部２５ａは、図９に示すように、挿入情報を入力する画面等の各種設定画面（入力用画面）の表示操作部６００への表示制御を行うものである。また、表示制御部２４ａは、所定の用紙束に対する用紙の入替え又は挿入を行う際、当該所定の用紙束が載置されていない場合等の、例えば「入替又は挿入を行う用紙束がインサータトレイにセットされていません。用紙束をセットして下さい。」などというメッセージ文の表示制御も行う。
【００８１】
図１０は、入替用原稿を用いた入替用紙束に対する用紙の入れ替えを行う場合の複写機１ａの動作の一例を示すフローチャートである。まず、ステップＳ５１において、インサータトレイ５６１上に載置された所定部数からなる入替用紙束（上記入替挿入用紙束を示す）が用紙検出用スイッチ部５６４１によって検出される。ステップＳ５２において、操作表示部６００の入替ボタン６２２の押下により入力された入替情報が、入替挿入情報設定部２４ａに受け付けられて設定される。ステップＳ５３において、操作表示部６００から入力された順番情報が、順番情報設定部２３ａに受け付けられて設定される。ステップＳ５４において、操作表示部６００から入力された部枚数情報が、部枚数情報設定部２２ａに受け付けられて設定される。
【００８２】
次にステップＳ５５において、インサータ部５６０（第１給紙部）による入替用紙束の給紙、すなわち、インサータトレイ５６１から取込機構５６２による入替用紙束（入替用紙１枚）が取り込まれ、搬送路５６３を経由してスタックトレイ５１１へ向けての搬送が行われる。ステップＳ５６において、当該入替用紙の給紙とともに枚数検出部５６４の検出情報に基づく枚数計数部２１による給紙枚数の計数が行われる。ステップＳ５７において、当該計数結果から、上記インサータトレイ５６１から取り込まれた入替用紙が、上記ステップＳ５３において設定された入れ替えを行う順番に対応する枚数目のページ（入替えページ）である場合には（ステップＳ５７のＹＥＳ）、この入替用紙が、スタックトレイ５１１上に積載されずに、サブトレイ５０５へ排出される。
【００８３】
その後、ステップＳ６０において、給紙部４００（第２給紙部）によるスタックトレイ５１１へ向けての入替用の印刷紙（入替印刷紙）の給紙が行われ、ステップＳ６１において、この給紙部４００による給紙とともに画像形成部１００による入替用原稿に対応する原稿画像データに基づく画像形成が行われ、ステップＳ６２において、当該画像形成された入替印刷紙がスタックトレイ５１１まで搬送されて積載される。
【００８４】
上記取り込まれた入替用紙が、入れ替えを行う順番に対応する枚数目のページでない場合には（ステップＳ５７のＮＯ）、ステップＳ５８において、この入替用紙をスタックトレイ５１１へ搬送して積載する。次に、ステップＳ６３において、上記ステップＳ５４で設定された部枚数情報、及び給紙枚数情報から、上記インサータトレイ５６１上に載置された所定部数の入替用紙束における１部の入替用紙束の最終ページである場合、すなわち、スタックトレイ５１１上に、入替用紙束、及び上記ステップＳ５６における入替印刷紙からなる１部の複合用紙束が完成されている場合には（ステップＳ６３のＹＥＳ）、ステップＳ６４において、この複合用紙束に対するステイプル処理等の後処理が行われ、メイントレイ５０４等への排出が行われる。１部の最終ページでない場合には（ステップＳ６３のＮＯ）、上記ステップＳ５５に戻って次の入替用紙が給紙される。
【００８５】
ステップＳ６５において、全ての部数の入替用紙束に対して当該入れ替えが完了した場合には（ステップＳ６５のＹＥＳ）、フロー終了となる。全ての部数に対しての当該入れ替えが完了していない場合には（ステップＳ６５のＮＯ）、上記ステップＳ５５に戻って次の入替用紙が給紙される。
【００８６】
次に、図１１は、挿入用原稿を用いた入替挿入用紙束に対する用紙の挿入を行う場合の複写機１ａの動作の一例を示すフローチャートである。まず、ステップＳ７１において、インサータトレイ５６１上に載置された所定部数からなる挿入用紙束（上記入替挿入用紙束を示す）が用紙検出用スイッチ部５６４１によって検出される。ステップＳ７２において、挿入ボタン６２３の押下により入力された入替情報が、入替挿入情報設定部２４ａに受け付けられて設定される。ステップＳ７３において、操作表示部６００から入力された順番情報が、順番情報設定部２３ａに受け付けられて設定される。ステップＳ７４において、操作表示部６００から入力された部枚数情報が、部枚数情報設定部２２ａに受け付けられて設定される。
【００８７】
次にステップＳ７５において、インサータ部５６０（第１給紙部）による挿入用紙束の給紙、すなわち、インサータトレイ５６１から取込機構５６２による挿入用紙束（挿入用紙１枚）が取り込まれ、搬送路５６３を経由してスタックトレイ５１１へ向けての搬送が行われる。ステップＳ７６において、当該挿入用紙の給紙とともに枚数検出部５６４の検出情報に基づく枚数計数部２１による給紙枚数の計数が行われる。ステップＳ７７において、当該計数結果から、上記インサータトレイ５６１から取り込まれた挿入用紙が、上記ステップＳ７３において設定された挿入を行う順番に対応する枚数目のページ（挿入ページ）である場合には（ステップＳ７７のＹＥＳ）、この挿入用紙がスタックトレイ５１１へ搬送されて積載される。そして、ステップＳ８０において、給紙部４００（第２給紙部）によるスタックトレイ５１１へ向けての挿入用の印刷紙（挿入印刷紙）の給紙が行われ、ステップＳ８１において、この給紙部４００による給紙とともに画像形成部１００による挿入用原稿に対応する原稿画像データに基づく画像形成が行われ、ステップＳ８２において、当該画像形成された挿入印刷紙がスタックトレイ５１１まで搬送され、上記挿入用紙の上に積載される。
【００８８】
上記取り込まれた挿入用紙が、挿入を行う順番に対応する枚数目のページでない場合には（ステップＳ７７のＮＯ）、ステップＳ７８において、この挿入用紙がスタックトレイ５１１へ搬送されて積載される。次に、ステップＳ８３において、上記ステップＳ７４で設定された部枚数情報、及び上記ステップＳ７６における給紙枚数情報から、上記インサータトレイ５６１上に載置された所定部数の挿入用紙束における１部の挿入用紙束の最終ページである場合、すなわち、スタックトレイ５１１上に、挿入用紙束、及び挿入印刷紙からなる１部の複合用紙束が完成されている場合には（ステップＳ８３のＹＥＳ）、ステップＳ８４において、この複合用紙束に対するステイプル処理等の後処理が行われ、メイントレイ５０４等への排出が行われる。１部の最終ページでない場合には（ステップＳ８３のＮＯ）、上記ステップＳ７５に戻って次の挿入用紙が給紙される。
【００８９】
ステップＳ８５において、全ての部数の挿入用紙束に対して当該挿入が完了した場合には（ステップＳ８５のＹＥＳ）、フロー終了となる。全ての部数に対しての当該挿入が完了していない場合には（ステップＳ８５のＮＯ）、上記ステップＳ７５に戻って次の挿入用紙が給紙される。
【００９０】
以上のように本発明の用紙処理装置によれば、ジャム時に後処理部５００のスタックトレイ５１１に無事に積載されていたセーフ用紙束が、インサータ部５６０（第１の給紙手段）から給紙されて枚数検出部５６４（枚数計数部２１）により給紙枚数が計数され、この給紙枚数の情報に基づいて、処理単位（１部）として未完成なセーフ用紙束の残りの用紙（当該計数された給紙枚数目に続く、次頁以降用の原稿画像データに基づき印刷された印刷紙）が、給紙部４００（第２の給紙手段）から給紙されてセーフ用紙束と合わせられて複合用紙束が形成され、処理単位としての１部が完成される。
【００９１】
また、例えば抜け落ちページや不良画像ページを含む入替挿入用紙束がインサータ部５６０から給紙されて枚数検出部５６４によりこの給紙枚数が計数され、当該抜け落ちページ用の挿入印刷紙、又は不良画像ページ用の入替印刷紙が第２の給紙部４００から給紙されてセーフ用紙束と合わせられて複合用紙束が形成され、処理単位としての１部が完成される。このようにして、ジャム等によりスタックトレイ５１１に積載されていた用紙束を破棄することなく、あるいは、抜け落ちページや不良画像ページのある用紙束を破棄することなくこれらを容易に再利用することができ、ひいては省資源化を図ることができる。
【００９２】
また、インサータ部５６０からの給紙枚数が所定枚数に達したことが枚数検出部５６４によって計数され、この計数情報に基づいて給紙部４００からの給紙に切り替えられるため、スタックトレイ５１１に積載されていたセーフ用紙束に対する残りの用紙（印刷紙）の補充が、単にインサータ部５６０から給紙部４００への給紙の切り替えによって行えるようになり、セーフ用紙束と印刷紙とからなる複合用紙束の形成を容易に行うことができる。
【００９３】
また、再利用情報設定部２４により再利用情報が受け付けられることによって、インサータ部５６０からの給紙や、枚数検出部５６４による給紙枚数の計数がなされるため、用紙束を再利用するか否かがユーザによって容易に選択可能となる。
【００９４】
また、挿入情報設定部２３により挿入情報が受け付けられることによって、インサータ部５６０によりインサータトレイ５６１からスタックトレイ５１１へ挿入紙が給紙され、この挿入紙と、スタックトレイ５１１に既に積載されているセーフ用紙束及び印刷紙とからなる複合用紙束が形成されるため、挿入紙（表紙、裏紙又は合紙等）の挿入を行う出力時（例えばカバーモードやインサートモード時）にジャム等が発生した場合でも、スタックトレイ５１１に積載されていたセーフ用紙束を破棄せずに容易に再利用することができ、ひいては省資源化を図ることができる。
【００９５】
また、インサータ部５６０からの給紙枚数が順番の枚数に達したことが枚数検出部５６４によって計数され、この計数情報に基づいて給紙部４００からの給紙に一時的に切り替えられる構成を利用して、入替挿入用紙束と、入替印刷紙又は挿入印刷紙とからなる複合用紙束の形成を容易に行うことができる。
【００９６】
また、順番情報設定部２３ａにより順番情報が受け付けられることによって、インサータ部５６０からの給紙や、枚数検出部５６４による給紙枚数の計数がなされる構成であるため、用紙の入れ替えや挿入を行うページ位置のユーザによる指定が容易に行えるようになる。なお、本発明は以下の態様をとることができる。
【００９７】
（Ａ）枚数検出部５６４は、ピックアップローラの位置に設けなくともよく、インサータトレイ５６１からスタックトレイ５１１に到る経路であればいずれの場所に設けてもよい。この場合、インサータ部５６０の搬送路５６３に設けることが好ましい。また、インサータ部５６０からの給紙枚数を計数する手段としては、回動腕部５６４ａや計数用スイッチ部５６４ｂを備えた機械的なスイッチの他、フォトセンサなどの光学センサを使用したものでもよい。
【００９８】
（Ｂ）用紙処理装置（後処理部５００）が画像形成部及び給紙部（第２の給紙手段）を設えたものであってもよい。
【００９９】
（Ｃ）インサータ部５６０で取り込んだ用紙の反転は、排出ローラ５０６に限らず、排出ローラ５０７や退避ドラム５０９で行ってもよい。
【０１００】
（Ｄ）入替用紙の排出先は、サブトレイ５０５でなくともよく、例えばメイントレイ５０４、あるいは入替用紙専用に別途設けたトレイであってもよい。
【図面の簡単な説明】
【０１０１】
【図１】本発明の第１の実施形態に係る用紙処理装置の一例である後処理部を備える複写機の内部構成を概略的に示す断面図である。
【図２】図１に示す複写機の概略構成を示すブロック図である。
【図３】操作表示部の拡大図である。
【図４】挿入紙が挿入されていないセーフ用紙束の再利用動作を説明する図である。
【図５】挿入紙が挿入されているセーフ用紙束の再利用動作を説明する図であり、（ａ）は各印刷紙束に表紙が挿入される場合、（ｂ）は各印刷紙束に裏紙が挿入される場合、（ｃ）は各印刷紙束に表紙及び裏紙が挿入される場合、（ｄ）は各印刷紙束に合紙が挿入される場合を示す図である。
【図６】図４に示す場合の複写機の動作の一例を示すフローチャートである。
【図７】図５に示す場合の複写機の動作の一例を示すフローチャートである。
【図８】本発明の第２の実施形態に係る画像形成装置の一例である複写機の概略構成を示すブロック図である。
【図９】操作表示部の拡大図である。
【図１０】入替用原稿を用いた入替用紙束に対する用紙の入れ替えを行う場合の複写機の動作の一例を示すフローチャートである。
【図１１】挿入用原稿を用いた入替挿入用紙束に対する用紙の挿入を行う場合の複写機の動作の一例を示すフローチャートである。
【符号の説明】
【０１０２】
１、１ａ  複写機（画像形成装置）
１０  本体部（外部装置）
２０  制御部（制御手段）
２１  枚数計数部（計数手段）
２２  部数設定部
２２ａ  部枚数情報設定部
２３  挿入情報設定部（挿入情報受付手段）
２３ａ  順番情報設定部（順番情報受付手段）
２４  再利用情報設定部（再利用情報受付手段）
２４ａ  入替挿入情報設定部
２５、２５ａ  表示制御部
３０  画像記憶部（原稿画像記憶部、入替挿入画像記憶部）
１００  画像形成部
４００  給紙部（第２の給紙手段）
４０１、４０２  給紙カセット
４０３  手差し給紙部
４０４、４０５  搬送路
５００  後処理部（後処理装置、用紙処理装置）
５０１  パンチ処理部
５０４  メイントレイ
５０５  サブトレイ（排出部）
５０６、５０７  排出ローラ
５０８  分岐ガイド
５０９  退避ドラム
５１１  スタックトレイ（スタック部）
５１１ａ  カバー体
５１２  ストッパ
５１２ａ、５１４  無端ベルト
５１３  ステイプラ
５２０  ステイプル処理部
５４０  中折り処理部
５６０  インサータ部（第１の給紙手段）
５６１  インサータトレイ（挿入紙搬入部）
５６３  搬送路
５６４  枚数検出部（計数手段）
５６４ａ  回動腕部
５６４ｂ  計数用スイッチ部
５６４１  用紙検出用スイッチ部
５６５  ピックアップローラ
５６６  給紙ローラ
５６７  制動ローラ
６００  操作表示部
６０２  テンキー
６０３  表示器
６０４  挿入用紙選択領域
６０５  表紙ボタン
５０６  裏紙ボタン
６０７  合紙ボタン
６０８、６２４  順番ボタン
６１０  再利用ボタン
６２１  部枚数ボタン
６２２  入替ボタン
６２３  挿入ボタン
６２５  複数実行ボタン
【図１】
2005239409.tif 000003
【図２】
2005239409.tif 000004
【図３】
2005239409.tif 000005
【図４】
2005239409.tif 000006
【図５】
2005239409.tif 000007
【図６】
2005239409.tif 000008
【図７】
2005239409.tif 000009
【図８】
2005239409.tif 000010
【図９】
2005239409.tif 000011
【図１０】
2005239409.tif 000012
【図１１】
2005239409.tif 000013